(57)【特許請求の範囲】
【請求項１】
複数の携帯端末装置と、この携帯端末装置と移動体通信を行うサーバー装置とを備える情報提供システムにおいて、
ＧＰＳ情報を受信して前記携帯端末装置の位置情報を取得する位置特定部と、
前記位置情報から前記携帯端末装置の移動状態を判別する移動状態判別部と、
前記移動状態に応じて、携帯端末情報をサーバー装置へ送信する端末側送信部と、
を備え、
前記移動状態判別部により判別された前記携帯端末装置の移動状態が駐車場周辺で渋滞した車両に乗車中である場合に、前記端末側送信部は、前記駐車場が混雑していることを示す携帯端末情報を前記サーバー装置へ送信することにより、前記サーバー装置から前記駐車場周辺で移動状態が歩行中である他の携帯端末装置に対して、前記駐車場が混雑していることを示す情報を提供可能とすることを特徴とする携帯端末装置。
【請求項２】
前記移動状態に応じて、携帯端末情報を送信する周期を変更する端末側周期変更部を更に備えることを特徴とする請求項１に記載の携帯端末装置。
【請求項３】
前記移動状態に応じて、送信する携帯端末情報のデータセット内容を変更する端末側データセット変更部を更に備えることを特徴とする請求項１又は２に記載の携帯端末装置。
【請求項４】
請求項１〜３のいずれか一項に記載の携帯端末装置と、この携帯端末装置と移動体通信を行うサーバー装置とを備える情報提供システムにおいて、
前記携帯端末装置から前記携帯端末情報を受信するサーバー側受信部と、
前記携帯端末情報を必要或いは有用とする他の移動状態を判別する必要性判定部と、
判別された前記他の移動状態にある他の携帯端末装置へ、当該携帯端末情報を送信するサーバー側送信部と、
を備え、
前記サーバー側受信部が、前記移動状態が駐車場周辺で渋滞した車両に乗車中である第１の携帯端末装置から前記携帯端末情報を受信した場合に、前記必要性判定部は、前記他の移動状態として歩行中であることを判別し、前記サーバー側送信部は、前記移動状態が歩行中である第２の携帯端末装置に対して、前記携帯端末情報として前記駐車場が混雑していることを示す情報を送信することを特徴とするサーバー装置。
【請求項５】
前記移動状態に応じて、前記他の携帯端末装置へ前記携帯端末情報を送信する周期を変更するサーバー側周期変更部を更に備えることを特徴とする請求項４に記載のサーバー装置。
【請求項６】
前記移動状態に応じて、前記他の携帯端末装置へ送信する前記携帯端末情報のデータセット内容を変更するサーバー側データセット変更部を更に備えることを特徴とする請求項４又は５に記載のサーバー装置。
【請求項７】
前記サーバー装置或いは他の携帯端末装置から他の携帯端末情報を受信する端末側受信部を更に備えることを特徴とする請求項１〜３のいずれか一項に記載の携帯端末装置。
【請求項８】
自らの移動状態に応じて、受信した前記他の携帯端末情報を、前記移動端末装置を保持する者へ提供するか否かを判定する提供判定部と、
前記移動端末装置を保持する者へ提供すると判定された場合に、前記他の携帯端末情報を、前記移動端末装置を保持する者へ提供する情報提供部と
を更に備えることを特徴とする請求項７に記載の携帯端末装置。
【請求項９】
複数の携帯端末装置と、この携帯端末装置と移動体通信を行うサーバー装置とを備える情報提供システムであって、
前記携帯端末装置は、
ＧＰＳ情報を受信して前記携帯端末装置の位置情報を取得する位置特定部と、
前記位置情報から前記携帯端末装置の移動状態を判別する移動状態判別部と、
前記移動状態に応じて、携帯端末情報をサーバー装置へ送信する端末側送信部と、を備え、
前記移動状態判別部により判別された前記携帯端末装置の移動状態が駐車場周辺で渋滞した車両に乗車中である場合に、前記端末側送信部は、前記駐車場が混雑していることを示す携帯端末情報を前記サーバー装置へ送信し、
前記サーバー装置は、
前記携帯端末装置から前記携帯端末情報を受信するサーバー側受信部と、
前記携帯端末情報を必要或いは有用とする他の移動状態を判別する必要性判定部と、
判別された前記他の移動状態にある他の携帯端末装置へ、当該携帯端末情報を送信するサーバー側送信部と、を備え、
前記サーバー側受信部が、前記移動状態が駐車場周辺で渋滞した車両に乗車中である第１の携帯端末装置から前記携帯端末情報を受信した場合に、前記必要性判定部は、前記他の移動状態として歩行中であることを判別し、前記サーバー側送信部は、前記移動状態が歩行中である第２の携帯端末装置に対して、前記携帯端末情報として前記駐車場が混雑していることを示す情報を送信することを特徴とする情報提供システム。
【請求項１０】
前記携帯端末装置は、前記サーバー装置或いは他の携帯端末装置から他の携帯端末情報を受信する端末側受信部を更に備えることを特徴とする請求項９に記載の情報提供システム。
【発明の詳細な説明】
【技術分野】
【０００１】
本発明は、携帯端末装置、サーバー装置及び情報提供システムに関する。
【背景技術】
【０００２】
無線通信網を介して接続される移動端末と、この移動端末に対して情報を提供するサーバーとからなる情報提供システムであって、移動端末の移動状態に基づいて、移動端末に提供する情報を変更するシステムが従来から知られている（特許文献１参照）。
【０００３】
特許文献１では、移動端末の移動状態から、移動端末を保持する者が歩行中であるか否かを判別し、歩行中である場合にのみ提供する情報とそれ以外の情報とに分けて提供している。
【先行技術文献】
【特許文献】
【０００４】
【特許文献１】特開２００２−２０７９２１号公報
【発明の概要】
【発明が解決しようとする課題】
【０００５】
しかし、携帯端末の移動状態には、歩行中以外にも、移動端末を保持する者が車両に乗車中、電車に乗車中、建造物内で静止中等、その他に様々な移動状態があり、各移動状態において、携帯端末を保持する者に必要又は有用な情報が異なる。特許文献１の情報手京システムではこれらの移動状態を判別することはできない。
【０００６】
また、特許文献１の情報提供システムでは、移動状態に応じて携帯端末からサーバーへ情報を提供することは考慮されていない。よって、異なる移動状態にある複数の携帯端末の間を結び付けて情報を提供することはできない。
【０００７】
本発明は上記課題に鑑みて成されたものであり、その目的は、異なる移動状態にある複数の携帯端末装置の間を結び付けて必要或いは有用な情報を提供する情報提供システム、サーバー装置、携帯端末装置を提供することである。
【課題を解決するための手段】
【０００８】
本発明の特徴は、複数の携帯端末装置と、この携帯端末装置と移動体通信を行うサーバー装置とを備える情報提供システムにおける携帯端末装置である。この携帯端末装置は、ＧＰＳ情報を受信して携帯端末装置の位置情報を取得し、この位置情報から携帯端末装置の移動状態を判別し、この移動状態に応じて、携帯端末情報をサーバー装置へ送信する。特に、判別された携帯端末装置の移動状態が駐車場周辺で渋滞した車両に乗車中である場合に、駐車場が混雑していることを示す携帯端末情報をサーバー装置へ送信することにより、サーバー装置から駐車場周辺で移動状態が歩行中である他の携帯端末装置に対して、駐車場が混雑していることを示す情報を提供可能とすることを特徴とする。
【発明の効果】
【０００９】
本発明の携帯端末装置、サーバー装置及び情報提供システムによれば、携帯端末装置の移動状態に応じて、サーバー装置を介して或いは直接、携帯端末情報を他の携帯端末装置へ送信することができる。よって、異なる移動状態にある複数の携帯端末装置の間を結び付けて必要或いは有用な情報を提供することができる。
【図面の簡単な説明】
【００１０】
【図１】本発明の実施の形態に係わる情報提供システムの構成を示すブロック図である。
【図２】図１の第１の携帯端末装置１２の詳細な構成を示すブロック図である。
【図３】図１のサーバー装置１１の詳細な構成を示すブロック図である。
【図４】第１の実施例に係わる歩行者存在情報提供システムの構成を示すブロック図である。
【図５】図４の情報提供システムにおける送信側である第１の携帯端末装置１２ａの動作例を示すフローチャートである。
【図６】図４の情報提供システムにおけるサーバー装置１１の動作例を示すフローチャートである。
【図７】図４の情報提供システムにおける受信側である第２の携帯端末装置１３ａの動作例を示すフローチャートである。
【図８】第２の実施例に係わる電車遅延情報提供システムの構成を示すブロック図である。
【図９】第３の実施例に係わる駐車場混雑情報提供システムの構成を示すブロック図である。
【発明を実施するための形態】
【００１１】
以下図面を参照して、本発明の実施の形態を説明する。図面の記載において同一部分には同一符号を付している。
【００１２】
図１を参照して、本発明の実施の形態に係わる情報提供システムの構成を説明する。本発明の実施の形態に係わる情報提供システムは、広域通信網ＷＣが配備されたサーバー装置１１と、移動通信網などの通信手段による広域通信網ＷＣによってサーバー装置１１との間で情報の送受信が可能な第１の携帯端末装置１２（携帯端末装置）及び第２の携帯端末装置１３（他の携帯端末装置）とから成り立っている。第１の携帯端末装置１２と第２の携帯端末装置１３との間は、電波、光などの通信手段による狭域通信ＮＣによって情報の送受信が可能である。
【００１３】
なお、狭域通信ＮＣによる直接通信を用いて情報の送受信が可能な第１の携帯端末装置１２と第２の携帯端末装置１３のみの構成要素から成り立つことも可能である。
【００１４】
図２を参照して、図１の第１の携帯端末装置１２の詳細な構成を説明する。なお、図１の第２の携帯端末装置１３は、第１の携帯端末装置１２と同様な構成を備えるため、図示及び説明を省略する。
【００１５】
第１の携帯端末装置１２は、サーバー装置１１あるいは第２の携帯端末装置１３と位置情報等を送受信するための端末側通信部２１と、ＧＰＳ衛星からの位置情報をもとに自装置の位置を特定するための位置特定部２３と、端末側通信部２１と位置特定部２３からの出力を得て、自装置の位置情報等をサーバー装置１１あるいは第２の携帯端末装置１３へ送信するための計算を行う端末側処理部２２と、端末側処理部２２からの出力を得て第１の携帯端末装置１２の保持者へ、画面表示や音による情報提供を行うための情報提供部２４とを備える。
【００１６】
位置特定部２３は、ＧＰＳ情報を受信して第１の携帯端末装置１２の位置情報を取得する。
【００１７】
端末側処理部２２は、この位置情報から第１の携帯端末装置１２の移動状態を判別する移動状態判別部３３を備える。通信部２１は、この第１の携帯端末装置１２の移動状態に応じて、携帯端末情報をサーバー装置１１或いは第２の携帯端末装置１３へ送信する端末側送信部３１と、サーバー装置１１或いは第２の携帯端末装置１３から他の携帯端末情報を受信する端末側受信部３２とを備える。
【００１８】
また、端末側処理部２２は、自らの移動状態に応じて、第２の携帯端末装置１３から受信した他の携帯端末情報を、前記移動端末装置を保持する者へ提供するか否かを判定する提供判定部３６と、第１の携帯端末装置１２の移動状態に応じて、携帯端末情報を送信する周期を変更する端末側周期変更部３４と、第１の携帯端末装置１２の移動状態に応じて、送信する携帯端末情報のデータセット内容を変更する端末側データセット変更部３５とを更に備える。
【００１９】
第２の携帯端末装置１３から受信した他の携帯端末情報を、第１の移動端末装置１２を保持する者へ提供すると提供判定部３６が判定した場合、情報提供部２４は、他の携帯端末情報を、第１の移動端末装置１２を保持する者へ提供する。
【００２０】
ここで、「第１の携帯端末装置１２の移動状態」には、第１の携帯端末装置１２を携帯する人の移動状態と、第１の携帯端末装置１２自体の移動状態とが含まれる。また、「移動状態」には、歩行中、車両に乗車中、渋滞車両に乗車中、電車に乗車中、自転車に乗車中、建造物内で静止中などが含まれる。更に、携帯端末情報のデータセット内容として、時刻情報、位置情報、移動状態情報、移動速度情報、携帯端末保持者の職業等の属性情報、携帯端末保持者の趣味等の嗜好情報等が挙げられる。
【００２１】
図３を参照して、図１のサーバー装置１１の詳細な構成を説明する。サーバー装置１１は、第１の携帯端末装置１２及び第２の携帯端末装置１３と位置情報等を送受信するためのサーバー側通信部４１と、サーバー側通信部４１からの出力を得て、第１の携帯端末装置１２及び第２の携帯端末装置１３の情報を集約、処理するためのサーバー側処理部４２とを備える。
【００２２】
サーバー側通信部４１は、第１の携帯端末装置１２及び第２の携帯端末装置１３へ携帯端末情報を送信するサーバー側送信部５１と、第１の携帯端末装置１２及び第２の携帯端末装置１３から携帯端末情報を受信するサーバー側受信部５２と、を備える。
【００２３】
サーバー側処理部４２は、サーバー側受信部５２が受信した携帯端末情報を必要或いは有用とする他の移動状態を判別する必要性判定部５３を備える。そして、サーバー側送信部５１は、必要性判定部５３により判別された他の移動状態にある他の携帯端末装置へ、携帯端末情報を送信する。例えば、必要性判定部５３が、第１の携帯端末装置１２から受信した携帯端末情報を、必要或いは有用とする他の移動状態を判別する。その結果、第２の携帯端末装置１３がその他の移動状態にある場合、他の携帯端末装置としての第２の携帯端末装置１３へ、第１の携帯端末装置１２から受信した携帯端末情報を送信する。これにより、サーバー装置１１を介して、第１の携帯端末装置１２の移動状態に応じて、携帯端末情報を第２の携帯端末装置１３へ送信することができる。
【００２４】
また、サーバー側処理部４２は、第１の携帯端末装置１２の移動状態に応じて、第２の携帯端末装置１３（他の携帯端末装置）へ携帯端末情報を送信する周期を変更するサーバー側周期変更部５４と、第１の携帯端末装置１２の移動状態に応じて、第２の携帯端末装置１３（他の携帯端末装置）へ送信する携帯端末情報のデータセット内容を変更するサーバー側データセット変更部３５とを更に備える。
【第１の実施例】
【００２５】
図４を参照して、第１の実施例に係わる情報提供システムの構成を説明する。第１の実施例では、図１の情報提供システムを、例えば住宅街のような見通しの悪い地域において、車両の前方にいる歩行者の存在を車両の運転者に報知することにより、安全運転を支援する歩行者存在情報提供サービスに適用した例を説明する。
【００２６】
歩行中の者が保持する第１の携帯端末装置１２ａは、ＧＰＳ情報から第１の携帯端末装置１２ａの移動状態を判別する。その移動状態が歩行中であると判別された場合、時刻情報、位置情報、携帯端末保持者の職業等の属性情報などの携帯端末情報を、広域通信網ＷＣを通じてサーバー装置１１へ送信する（Ａ１）。
【００２７】
これと並行して、車両に乗車中の者が保持する第２の携帯端末装置１３ａは、ＧＰＳ情報から第２の携帯端末装置１３ａの移動状態を判別する。その移動状態が車両に乗車中であると判別された場合、車両向けサービスのリクエスト、移動状態情報、移動速度情報、携帯端末保持者の職業等の属性情報、携帯端末保持者の趣味等の嗜好情報などの携帯端末情報を、広域通信網ＷＣを通じてサーバー装置１１へ送信する（Ａ３）。
【００２８】
サーバー装置１１は、歩行中の者が保持する第１の携帯端末装置１２ａから受信した携帯端末情報を必要或いは有用とする他の移動状態として、「車両に乗車中」を判別する。そして、判別された、「車両に乗車中」にある第２の携帯端末装置１３ａ（他の携帯端末装置）へ第１の携帯端末装置１２ａから受信した携帯端末情報を広域通信網ＷＣを通じて送信する（Ａ４）。
【００２９】
第２の携帯端末装置１３ａは、この携帯端末情報を広域通信網ＷＣを通じてサーバー装置１１から受信し、第２の携帯端末装置１３ａを保持する者へ提供する。
【００３０】
なお、上記した情報提供サービスは、サーバー装置１１を介して、広域通信網ＷＣを通じて行われるが、本発明はこれに限定されない。例えば、その移動状態が歩行中である第１の携帯端末装置１２ａは、狭域通信ＮＣを通じて、周囲にある第２の携帯端末装置１３ａへ直接、携帯端末情報を送信してもよい（Ａ２）。第２の携帯端末装置１３ａは、自らの移動状態に応じて、受信した携帯端末情報（他の携帯端末情報）を、第２の移動端末装置１３ａを保持する者へ提供するか否かを判定する。そして、第２の移動端末装置１３ａを保持する者へ提供すると判定された場合に、受信した携帯端末情報（他の携帯端末情報）を、第２の移動端末装置１３ａを保持する者へ提供する。具体的には、車両に乗車中である第２の移動端末装置１３ａの保持者へ歩行者が居るため危険であることを情報提供する。
【００３１】
図５を参照して、図４の情報提供システムにおける送信側である第１の携帯端末装置１２ａの動作例を説明する。
【００３２】
先ず、Ｓ０１段階において、ＧＰＳ情報を受信して第１の携帯端末装置１２ａの位置情報を取得する。Ｓ０３段階に進み、この位置情報から第１の携帯端末装置１２ａの移動状態を判別する。Ｓ０５段階に進み、判別された移動状態が、歩行中であるか否かを判断する。歩行中である場合（Ｓ０５でＹＥＳ）、Ｓ０７段階に進み、送信する携帯端末情報の送信先、データセット内容、通信周期等を設定する。Ｓ０９段階に進み、設定された携帯端末情報をサーバー装置１１或いは第２の携帯端末装置１３ａへ送信して、図５の演算処理は終了する。一方、歩行中でない場合（Ｓ０５でＮＯ）、図５の演算処理は終了する。
【００３３】
図６を参照して、図４の歩行者存在情報提供システムにおけるサーバー装置１１の動作例を説明する。
【００３４】
先ず、Ｓ１１段階において、歩行中の第１の携帯端末装置１２ａから携帯端末情報を受信する。Ｓ１３段階に進み、車両に乗車中の第２の携帯端末装置１３ａから携帯端末情報を受信する。Ｓ１５段階に進み、車両に乗車中の第２の携帯端末装置１３ａへ配信するサービスを構成する情報提供システムを決定する。
【００３５】
具体的には、歩行中の第１の携帯端末装置１２ａから受信した携帯端末情報を必要或いは有用とする他の移動状態を「車両に乗車中」と判別する。そして、判別された「車両に乗車中」にある他の携帯端末装置として、第２の携帯端末装置１３ａを特定する。
【００３６】
次に、Ｓ１７段階に進み、送信する携帯端末情報の送信先、データセット内容、通信周期等を設定する。Ｓ１９段階に進み、設定された携帯端末情報を第２の携帯端末装置１３ａへ送信して、図６の演算処理は終了する。
【００３７】
図７を参照して、図４の情報提供システムにおける受信側である第２の携帯端末装置１３ａの動作例を説明する。
【００３８】
先ず、Ｓ２１段階において、サーバー装置１１或いは歩行中の第１の携帯端末装置１２ａから携帯端末情報を受信する。Ｓ２３段階に進み、第２の携帯端末装置１３ａの保持者へ、画面表示や音による情報提供を行う。例えば、車両に乗車中の第２の携帯端末装置１３ａへ画面表示や音声を用いて、歩行者が存在しているため、注意をして走行することを促す情報提供を実施する。
【００３９】
なお、Ｓ２１段階において、歩行中である第１の携帯端末装置１２ａから、狭域通信ＮＣを通じて直接、携帯端末情報を受信した場合、自らの移動状態に応じて、受信した携帯端末情報を、第２の移動端末装置１３ａを保持する者へ提供するか否かを判定する。そして、第２の移動端末装置１３ａを保持する者へ提供すると判定された場合に限り、受信した携帯端末情報を、第２の移動端末装置１３ａを保持する者へ提供してもよい。
【第２の実施例】
【００４０】
図８を参照して、第２の実施例に係わる情報提供システムの構成を説明する。第２の実施例では、図１の情報提供システムを、駅周辺の歩行者や周辺路線の電車に乗車中のユーザに対して電車の遅延情報を配信する電車遅延情報サービスに適用した例を説明する。
【００４１】
移動状態が電車に乗車中の第１の携帯端末装置１２ｂの保持者が乗車している電車が時刻表よりも遅れているような場合、その携帯端末情報を広域通信網ＷＣを通じてサーバー装置１１へ送信する（Ｂ１）。一方、移動状態が歩行中、あるいは電車に乗車中の第２の携帯端末装置１３ｂは携帯端末情報を広域通信網ＷＣを通じてサーバー装置１１へ送信する（Ｂ２）。この場合、携帯端末情報として、電車遅延情報サービスのリクエスト、移動状態、時刻情報、位置情報、移動速度情報が含まれる。
【００４２】
サーバー装置１１は、受信した携帯端末情報から、遅延している電車の路線情報を計算し、この路線情報を必要或いは有用とする他の移動状態を判別し、当該他の移動状態にある携帯端末装置を特定する。具体的には、遅延している電車へ乗り換える可能性のある電車に乗車中の第２の携帯端末装置１３ｂ、または遅延している電車の停車駅周辺を歩行中の第２の携帯端末装置１３ｂを特定する。そして、これらの移動状態にある第２の携帯端末装置１３ｂへ、電車が遅延していることを情報提供する（Ｂ３）。これにより、情報提供システムの利便性が向上する。
【００４３】
なお、図８の情報提供システムにおける第１の携帯端末装置１２ｂ、サーバー装置１１及び第２の携帯端末装置１３ｂの各処理動作は、次の事項を置換すれば、図５、図６及び図７に示した処理動作とほぼ同じであり、図示及び説明を省略する。図５、図６及び図７における送信側である第１の携帯端末装置１２ａは歩行中ではなく、遅延している電車乗車中と置き換えればよい。また、受信側である第２の携帯端末装置１３ａは車両に乗車中ではなく、周辺の電車に乗車中、または周辺を歩行中と置き換えればよい。
【第３の実施例】
【００４４】
図９を参照して、第３の実施例に係わる情報提供システムの構成を説明する。第３の実施例では、図１の情報提供システムを、大型スーパーなどの商業施設等の駐車場の周辺にある携帯端末装置の保持者へ商業施設の駐車場の混雑状況を情報提供する駐車場混雑情報提供サービスに適用した例を説明する。
【００４５】
移動状態が渋滞した車両に乗車中と判断された第１の携帯端末装置１２ｃは、その携帯端末情報を広域通信網ＷＣを通じてサーバー装置１１へ送信する（Ｃ１）。一方、移動状態が車両に乗車中、歩行中、あるいは停止中のいずれかと判断された第２の携帯端末装置１３ｃは、その携帯端末情報を広域通信網ＷＣを通じてサーバー装置１１へ送信する（Ｃ２）。この場合、携帯端末情報として、混雑情報サービスのリクエスト、移動状態、時刻情報、位置情報、移動速度情報が含まれる。
【００４６】
サーバー装置１１は、受信した携帯端末情報から渋滞情報を計算し、この渋滞情報を必要或いは有用とする他の移動状態を判別し、当該他の移動状態にある携帯端末装置を特定する。具体的には、商業施設等の駐車場の周辺にて移動状態が車両に乗車中である場合、当該車両が、駐車場混雑による渋滞に巻き込まれる可能性がある。また、商業施設等の駐車場の周辺や商業施設内にて移動状態が歩行中、あるいは静止中である場合も、駐車場混雑による影響を受ける可能性がある。
【００４７】
そこで、商業施設等の駐車場の周辺にて移動状態が車両に乗車中、歩行中、あるいは静止中のいずれかである第２の携帯端末装置１３ｂを特定する。そして、これらの移動状態にある第２の携帯端末装置１３ｂへ、商業施設等の駐車場が混雑していることを情報提供する（Ｃ３）。これにより、情報提供システムの利便性が向上する。
【００４８】
なお、図９の情報提供システムにおける第１の携帯端末装置１２ｃ、サーバー装置１１及び第２の携帯端末装置１３ｃの各処理動作は、次の事項を置換すれば、図５、図６及び図７に示した処理動作とほぼ同じであり、図示及び説明を省略する。図５、図６及び図７における送信側である第１の携帯端末装置１２ａは歩行中ではなく、駐車場が混雑した商業施設の駐車場周辺で渋滞車両に乗車中と置き換えればよい。また、受信側である第２の携帯端末装置１３ａは車両に乗車中ではなく、商業施設へ向かう車両に乗車中、あるいは駐車場の周辺や商業施設内で歩行中、静止中と置き換えればよい。
【００４９】
以上説明したように、本発明の実施の形態によれば、以下の作用効果が得られる。
【００５０】
第１の携帯端末装置１２は、自己の移動状態に応じて、携帯端末情報をサーバー装置１１或いは第２の携帯端末装置１３へ送信することにより、異なる移動状態にある複数の携帯端末装置の間を結び付けて必要或いは有用な情報を提供することができる。また、情報提供システムの内容によって特定の移動状態の携帯端末情報のみ利用する場合がある。この場合、情報提供システムの内容によって必要最低限の通信を行うことが可能である。不要な携帯対端末情報を送ることがなくなり、携帯端末装置１２、１３の電力消費が低減する。
【００５１】
第１の携帯端末装置１２の移動状態に応じて、携帯端末情報を送信する周期を変更する。これにより、移動状態に合わせた通信周期に変更することができるので、携帯端末装置の電力消費が低減することができる。
【００５２】
第１の携帯端末装置１２の移動状態に応じて、送信する携帯端末情報のデータセット内容を変更する。これにより、移動状態に合わせたデータセット内容に変更できるので、余分な容量の大きなデータを通信する必要がなくなる。
【００５３】
サーバー装置１１は、第１の携帯端末装置１２から受信した携帯端末情報を必要或いは有用とする他の移動状態を判別し、判別された他の移動状態にある第２の携帯端末装置１３へ、当該携帯端末情報を送信する。これにより、特定の移動状態にある複数の携帯端末装置の間を結び付けて必要或いは有用な情報を提供することができる。
【００５４】
サーバー装置１１は、第１の携帯端末装置１２の移動状態に応じて、第２の携帯端末装置へ携帯端末情報を送信する周期を変更する。これにより、提供元の携帯端末装置の移動状態に合わせた通信周期に変更できるので、余分なデータ通信を行う必要がなくなる。
【００５５】
サーバー装置１１は、第１の携帯端末装置１２の移動状態に応じて、第２の携帯端末装置１３へ送信する携帯端末情報のデータセット内容を変更する。これにより、提供元の携帯端末装置の移動状態に合わせたデータセット内容に変更できるので、余分な容量の大きなデータを通信する必要がなくなる。
【００５６】
第１の携帯端末装置１２は、サーバー装置１１或いは第２の携帯端末装置１３から他の携帯端末情報を受信する。これにより、自らの移動状態に応じて、必要或いは有用な他の携帯端末情報を受信することができる。よって、自らの移動状態に応じた携帯端末情報を送信するインセンティブを第１の携帯端末装置１２を保持する人に対して、付与することができる。
【００５７】
第１の携帯端末装置１２は、自らの移動状態に応じて、受信した他の携帯端末情報を、第１の移動端末装置１２を保持する者へ提供するか否かを判定する。そして、第１の移動端末装置１２を保持する者へ提供すると判定された場合に、他の携帯端末情報を、第１の移動端末装置１２を保持する者へ提供する。これにより、受信した他の携帯端末情報のうち、必要或いは有用な他の携帯端末情報を選択的に提供することができるので、携帯端末情報を送信するインセンティブを更に高めることができる。
【００５８】
情報提供システムは、第１の携帯端末装置１２と、第１の携帯端末装置１２と移動体通信を行うサーバー装置１１とを備える。第１の携帯端末装置１２は、自己の移動状態に応じて、携帯端末情報をサーバー装置１１或いは第２の携帯端末装置１３へ送信する。サーバー装置１１は、第１の携帯端末装置１２から受信した携帯端末情報を必要或いは有用とする他の移動状態を判別し、判別された他の移動状態にある第２の携帯端末装置１３へ、当該携帯端末情報を送信する。これにより、情報提供システムは、特定の移動状態にある複数の携帯端末装置の間を結び付けて必要或いは有用な情報を提供することができる。
【００５９】
（その他の実施の形態）
上記のように、本発明は、１つの実施形態及び３つの実施例によって記載したが、この開示の一部をなす論述及び図面はこの発明を限定するものであると理解すべきではない。この開示から当業者には様々な代替実施の形態、実施例及び運用技術が明らかとなろう。
【００６０】
例えば、携帯端末情報を送信する携帯端末装置１２、１３の保持者に対して、物品や金銭等によるインセンティブを付与してもよい。情報を送信する携帯端末装置１２、１３の保持者は、自己の携帯端末装置が情報提供システムによるサービスが受けられない場合が想定されるため、携帯通信料金を支払ってまで携帯端末情報を送信しない可能性がある。そこで、情報を送信することに対するインセンティブを物品や金銭等によって付与してもよい。これにより、自己の携帯端末装置が情報提供システムによるサービスが受けられない場合であっても、自己の携帯端末情報を積極的に送信するようになり、情報提供システムを実施するサービスの利便性が向上する。
【００６１】
また、情報提供システムを歩行者存在情報提供サービス、電車遅延情報サービス、駐車場混雑情報提供サービスに適用した場合を説明した。しかし、これに限らず、この他にも、携帯電話などの形態端末装置を用いた、交通安全、交通情報、エンターテインメント、広告、防犯などに関する情報提供サービスにも適用することができる。
【符号の説明】
【００６２】
１１    サーバー装置
１２、１２ａ、１２ｂ、１２ｃ    第１の携帯端末装置（携帯端末装置）
１３、１３ａ、１３ｂ、１３ｃ    第２の携帯端末装置（他の携帯端末装置）
２３    位置特定部
２４    情報提供部
３１    端末側送信部
３２    端末側受信部
３３    移動状態判別部
３４    端末側周期変更部
３５    端末側データセット変更部
３６    提供判定部
５１    サーバー側送信部
５２    サーバー側受信部
５３    必要性判定部
５４    サーバー側周期変更部
５５    サーバー側データセット変更部
【図１】
0005589587.tif 000002
【図２】
0005589587.tif 000003
【図３】
0005589587.tif 000004
【図４】
0005589587.tif 000005
【図５】
0005589587.tif 000006
【図６】
0005589587.tif 000007
【図７】
0005589587.tif 000008
【図８】
0005589587.tif 000009
【図９】
0005589587.tif 000010